(57)【要約】  たばこ製品用の硬質パッケージ（１）であって、たばこ製品の群（３）を収容する第一容器（２）と、第一容器（２）をスライド可能に収容して第一容器（２）を第二容器（４）に対して閉鎖位置と開放位置との間でスライドさせる第二容器（４）とを有し、前記閉鎖位置において第一容器（２）は第二容器（４）内に完全に挿入され、前記開放位置において第一容器（２）は第二容器（４）から一部が引き出される。前記パッケージ（１）は二つの連結ストリップ（２２）を有し、各連結ストリップは一側で第一容器（２）の主側壁（１４）に連結され、他側で第二容器（４）の主側壁（７）に連結され、且つ第一容器（２）に変形可能部（２３）を有する。
2009507731.tif 000002
【特許請求の範囲】
【請求項１】
たばこ製品の群（３）を収容する第一容器（２）と第一容器（２）をスライド可能に収容して第一容器（２）を第二容器（４）に対して閉鎖位置と開放位置との間でスライドさせる第二容器（４）を含み、前記閉鎖位置において第一容器（２）は第二容器（４）内に完全に挿入され、前記開放位置において第一容器（２）は第二容器（４）から一部が引き出され、各容器（２，４）は平行六面体に形成され、たばこ製品の群（３）の長手を横切る方向に包む平行に対面する二つの主側壁（１４，７）を有するたばこ製品用の硬質パッケージ（１）において、前記パッケージ（１）は二つの連結ストリップ（２２）を含み、前記連結ストリップの各々は一側で第一容器（２）の主側壁（１４）に連結され、他側で第二容器（４）の主側壁（７）に連結され、且つ第一容器（２）に変形可能部（２３）を含むことを特徴とするパッケージ。
【請求項２】
各前記連結ストリップ（２２）は、主側壁（１４）の一端縁で第一容器（２）の主側壁（１４）に連結されている、請求項１に記載のパッケージ。
【請求項３】
各前記連結ストリップ（２２）は第一容器（２）の主側壁（１４）にシームレスに連結されている、請求項１又は２に記載のパッケージ。
【請求項４】
各前記連結ストリップ（２２）は主側壁（７）の一端縁で第二容器（４）の主側壁（７）に連結されている、請求項１，２，３のいずれか一項に記載のパッケージ。
【請求項５】
各前記連結ストリップ（２２）は、第二容器（４）の主側壁（７）にシームレスに連結されている、請求項１〜４のいずれか一項に記載のパッケージ。
【請求項６】
各前記連結ストリップ（２２）の変形可能部（２３）は、平行に離した複数の折り目線（２４）を有している、請求項１〜５のいずれか一項に記載のパッケージ。
【請求項７】
第一容器（２）が閉鎖位置にあるときに、各前記連結ストリップ（２２）の変形可能部（２３）は完全に伸張してフラット形態になり、且つ第一及び第二容器（２，４）の主側壁（１４，７）に平行になり、第一容器（２）が開放位置にあるときに、各前記連結ストリップ（２２）の変形可能部（２３）はＵ字形状になる、請求項１〜６のいずれか一項に記載のパッケージ。
【請求項８】
変形可能部（２３）を除いて、各前記連結ストリップ（２２）は第二容器（４）の主側壁（７）の内面に糊付けされている、請求項１〜７のいずれか一項に記載のパッケージ。
【請求項９】
第二容器（４）は二つの長手方向の縁（９）によって主側壁（７）から分離された小側壁（８）と、前記小側壁（８）に平行に対面して第一容器（２）の通過を許容する開放端（１０）とを含み、第二容器（４）の小側壁（８）は、ユーザーの指が挿入可能な寸法の少なくとも一つの貫通孔（２１）を有する、請求項１〜８のいずれか一項に記載のパッケージ。
【請求項１０】
第二容器（４）は、二つの長手方向縁（９）によって主側壁（７）から分離された小側壁（８）と、小側壁（８）に平行に対面し、第一容器（２）の通過を許容する開放端（１０）とを含み、第二容器（４）の各主側壁（７）は前記開放端（１０）の近くに凹部（２０）を有する、請求項１〜８のいずれか一項に記載のパッケージ。
【請求項１１】
第二容器（４）は底壁（５）と、上壁（６）と、二つの長手方向の縁（９）によって主側壁（７）から分離された小側壁（８）と、小側壁（８）に平行に対面して第一容器（２）の通過を許容する開放端（１０）とを含み、第一容器（２）は四つの長手方向の縁（１６）によって主側壁（１４）から分離された二つの平行に対面する小側壁（１５）と、底壁（１２）と、底壁（１２）に平行に対面する引き出し用開口（１３）とを含む、請求項１〜１０のいずれか一項に記載のパッケージ。
【請求項１２】
第二容器（４）の開放端（１０）に対面する第一容器（２）の第一小側壁（１５）が、第二容器（４）の小側壁（８）と同一寸法を有し、且つ第二容器（４）の小側壁（８）に対面する第一容器（２）の第二小側壁（１５）よりも大きい、請求項１１に記載のパッケージ。
【請求項１３】
第一容器（２）の第二小側壁（１５）がたばこ製品の群（３）の周囲を取り巻く環状部材（１８）によって画定され、第一容器（２）の主側壁（１４）或いは第一小側壁（１５）の内面に糊付けされている、請求項１２に記載のパッケージ。
【請求項１４】
第一容器（２）の底壁（２）が第二容器（４）の底壁（５）よりも小さい、請求項１１，１２，１３のいずれか一項に記載のパッケージ。
【請求項１５】
第一容器（２）の各側壁（１４）が頂部に凹部（１９）を有する、請求項１〜１４のいずれか一項に記載のパッケージ。
【請求項１６】
各連結ストリップ（２２）が、容器（４，２）の主側壁（７，１４）より長手方向に僅かに小さい、請求項１〜１５のいずれか一項に記載のパッケージ。
【請求項１７】
各連結ストリップ（２２）が、変形可能部（２３）に中心孔（２５）を有する、請求項１６に記載のパッケージ。
【請求項１８】
第一及び第二容器（２，４）が、四本の長手方向折り目線（２７）と四本の長手を横切る方向の折り目線（２８）を有する同一フラットブランク（２６）で形成され、
前記長手を横切る方向の折り目線（２８）は、前記ブランク（２６）上で二本の第一長手方向折り目線（２７）間に第二容器（４）の上壁（６）の一部を形成する第一パネル（６′）と、第二容器（４）の上壁（７）の一方の主側壁（７）を形成する第二パネル（７′）と、第二容器（４）の底壁（５）を形成する第三パネル（５′）と、第二容器（４）の他方の主側壁（７）を形成する第四パネル（７″）と、第二容器（４）の上壁（６）の一部を形成する第５パネル（６″）を画定し、
長手を横切る方向の折り目線（２８）は、前記ブランク（２６）上で二本の第二長手方向折り目線（２７）間に第一容器（２）の一方の主側壁（１４）を形成する第六パネル（１４′）と、第一容器（２）の底壁（１２）を形成する第七パネル（１２′）と、第一容器（２）の他方の主側壁（１４）を形成する第八パネル（１４″）を画定している、請求項１１〜１７のいずれか一項に記載のパッケージ。
【請求項１９】
第一連結ストリップ（２２′）は、第二パネル（７′）から第六パネル（１４′）まで延在し、各長手方向折り目線（２７）によって第二及び第六パネル（７′、１４′）から分離され、第二連結ストリップ（２２″）が第四パネル（７″）から第八パネル（１４″）まで延在し、各長手方向折り目線（２７）によって第四及び第八パネル（７″、１４″）から分離されている、請求項１８に記載のパッケージ。
【請求項２０】
ブランク（２６）は、連結ストリップ（２２′、２２″）が長手方向折り目線（２７a）を中心に第二及び第四パネル（７′、７″）上に１８０°で折り曲げられ、第六及び第八パネル（１４′、１４″）が別の長手方向折り目線（２７ｂ）を中心に第二及び第四パネル（７′、７″）の反対側の連結ストリップ（２２′、２２″）上に１８０°で折畳まれた、部分的に折畳まれたフラット形態を有する、請求項１９に記載のパッケージ。
【請求項２１】
変形可能部（２３）を除いて、連結ストリップ（２２′、２２″）は第二及び第四パネル（７′、７″）に糊付けされている、請求項２０に記載のパッケージ。
【請求項２２】
第二パネル（７′）は、長手方向折り目線（２７）によって第二パネル（７′）から分離されて第二容器（４）の小側壁（８）の一部を形成する第一翼（８′）を有し、第四パネル（７″）が、長手方向折り目線（２７）によって第四パネル（７″）から分離されて第二容器（４）の小側壁（８）の一部を形成する第二翼（８″）を有する、請求項１８〜２１のいずれか一項に記載のパッケージ。
【請求項２３】
第一翼（８′）は、二本の長手を横切る方向の折り目線（２８）によって第一翼（８′）から分離されて、第二容器（４）の底壁（５）と上壁（６）の内部補強化部を形成する、第一翼（８′）の両端に設けられた二つの第一タブ（２９）を含む、請求項２２に記載のパッケージ。
【請求項２４】
上壁の第一タブ（２９）と第一パネル（６′）は、第５パネル（６″）上に折り曲げられて第二容器（４）の上壁（６）を形成するときに、重ならないように形状される、請求項２３に記載のパッケージ。
【請求項２５】
第二容器（４）の小側壁（８）はユーザーの指が入る寸法の少なくとも一つの貫通孔（２１）を有し、第一翼（８′）と第二翼（８″）は第二容器（４）の小側壁（８）に貫通孔（２１）を形成する開口をそれぞれ有し、且つ二つの第二タブ（３４）が設けられて第二及び第四パネル（７′、７″）に連結され、且つ長手方向折り目線（２７）によって第二及び第四パネル（７′、７″）から分離されている、請求項２２，２３，２４のいずれか一項に記載のパッケージ。
【請求項２６】
ブランク（２６）が折り曲げられる際に、第二タブ（３４）が第二及び第四パネル（７′、７″）上に１８０°折り曲げられ、且つ第二及び第四パネル（７′、７″）を局部的に強化するように第二及び第四パネル（７′、７″）に糊付けされている、請求項２５に記載のパッケージ。
【請求項２７】
第六パネル（１４′）は、長手方向折り目線（２７）によって第六パネル（１４′）から分離されて第一容器（２）の小側壁（１５）の一部を形成する第三翼（１５′）を有し、第八パネル（１４″）は、長手方向折り目線（２７）によって第八パネル（１４″）から分離されて第一容器（２）の小側壁（１５）の一部を形成する第四翼（１５″）を有する、請求項１８〜２６のいずれか一項に記載のパッケージ。
【請求項２８】
第三翼（１５′）は、長手を横切る方向の折り目線（２８）によって第三翼（１５′）から分離されて、第一容器（２）の底壁（１２）の内部補強化部を形成する第三タブ（３０）を含む、請求項２７に記載のパッケージ。
【請求項２９】
第一容器（２）の小側壁（１５）はブランク（２６）から分離された環状部材（１８）によって形成され、前記環状部材（１８）はたばこ製品の群（３）の周囲に巻き付けられ、第一容器（２）の主側壁（１４）或いは小側壁（１５）の内面に糊付けされている、請求項１８〜２８のいずれか一項に記載のパッケージ。
【請求項３０】
各連結ストリップ（２２′、２２″）は変形可能部（２３）に中心孔（２５）を有し、第六パネル（１４′）は第三翼（１５′）と第五翼（１５″′）を有し、第三及び第五翼は第六パネル（１４′）の両側に設けられ、二本の長手方向折り目線（２７）によって第六パネル（１４′）から分離され、且つ第一容器（２）の小側壁（１５）の一部を形成し、第八パネル（１４″）は第四翼（１５″）と第六翼（１５″″）を有し、第四及び第六翼は第八パネル（１４″）の両側に設けられ、二本の長手方向折り目線（２７）によって第八パネル（１４″）から分離され、且つ第一容器（２）の小側壁（１５）の一部を形成し、第五翼（１５″′）と第六翼（１５″″）は第三翼（１５′）と第四翼（１５″）よりも長手方向に小さく、且つ連結ストリップ（２２′、２２″）の変形可能部（２３）の中心孔（２５）の内部に位置決めされている、請求項１８〜２９のいずれか一項に記載のパッケージ。
【請求項３１】
請求項１〜１７のいずれか一項に記載のたばこ製品用の硬質パッケージを製造するためのブランクであって、前記ブランク（２６）は平らで、四本の長手方向折り目線（２７）と四本の長手を横切る方向の折り目線（２８）を有し、
長手を横切る方向の折り目線（２７）は、ブランク（２６）上で二本の第一長手方向折り目線（２７）間に、第二容器（４）の上壁（６）の一部を形成する第一パネル（６′）と、第二容器（４）の一方の主側壁（７）を形成する第二パネル（７′）と、第二容器（４）の底壁（５）を形成する第三パネル（５′）と、第二容器（４）の他方の主側壁（７）を形成する第四パネル（７″）と、第二容器（４）の上壁（６）の一部を形成する第五パネル（６″）を画定し、
長手を横切る方向の折り目線（２８）は、ブランク（２６）上で二本の第二長手方向折り目線（２７）間に、第一容器（２）の一方の主側壁（１４）を形成する第六パネル（１４′）と、第一容器（２）の底壁（１２）を形成する第七パネル（１２′）と、第一容器（２）の他方の主側壁（１４）を形成する第八パネル（１４″）を画定する、ブランク。
【請求項３２】
第一連結ストリップ（２２′）は第二パネル（７′）から第六パネル（１４′）まで延在し、且つそれぞれの長手方向折り目線（２７）によって第二及び第六パネル（７′、１４′）から分離され、第二連結ストリップ（２２″）は第四パネル（７″）から第八パネル（１４″）まで延在し、且つそれぞれの長手方向折り目線（２７）によって第四及び第八パネル（７″、１４″）から分離されている、請求項３１に記載のブランク。
【請求項３３】
ブランク（２６）は一部が折畳まれたフラット形態であり、連結ストリップ（２２′，２２″）は長手方向折り目線（２７ａ）を中心に、第二及び第四パネル（７′、７″）上に１８０°折畳まれ、第六及び第八パネル（１４′、１４″）は長手方向の別の折り目線（２７ｂ）を中心に、第二及び第四パネル（７′、７″）の反対側の連結ストリップ（２２′、２２″）上に１８０°折畳まれている、請求項３２に記載のブランク。
【請求項３４】
変形可能部（２３）を除いて、連結ストリップ（２２′、２２″）が第二及び第四パネル（７′、７″）に糊付けされている、請求項３３に記載のブランク。
【発明の詳細な説明】
【技術分野】
【０００１】
本発明は、スライド式に開くたばこ製品用の硬質パッケージに関する。
【０００２】
本発明は、以下の説明に例示されている硬質シガレットパケットに特に有利に使用できる。
【背景技術】
【０００３】
スライド式に開くシガレット用のパケットは、特許出願FR 2499947A1、特許出願WO 2004024595A1、米国特許4534463A1及び米国特許5080227A1等に記載されて既知である。
【０００４】
スライド式に開くシガレット用の硬質パケットは、フォイルに包まれた一群のシガレットを収容して第二容器内に収容された第一容器を具え、第一容器は第二容器の内側に完全に挿入された閉鎖位置と第一容器が第二容器から部分的に引き出された開放位置との間を第二容器に対してスライドするように構成されている。
【０００５】
既知スライド式に開くシガレット用の硬質パケットは、すべて二つの別々のブランクを用いて形成される。第一ブランクは一群のシガレットの周囲に折り曲げられて、第一容器を形成し、第二のブランクは第一容器の周囲に折り曲げられて、第二容器を形成する。
【０００６】
標準的シガレット包装機は、ヒンジ蓋付きの硬質パケットを製造し、一群のシガレットの周囲に容器を形成するための一枚のブランクと、一群のシガレットの周囲に単にＵ字型に折り曲げられる必要のある小さいカラーとを処理するように設計される。従って、スライド式に開く硬質パケットを製造するための特別な包装機は、標準のヒンジ蓋付きのパケット用機械に対して高度な設計、構造、保守コストを含む大きな変更を必要とする。
【発明の開示】
【発明が解決しようとする課題】
【０００７】
本発明の一つの課題は、前述の欠点を解消するように設計され、特に安価に製造され且つ実質的に標準包装機を使用できるたばこ製品用のスライド式に開く硬質パッケージを提供することにある。
【課題を解決するための手段】
【０００８】
本発明によれば、添付の特許請求の範囲に記載されたような、スライド式に開くたばこ製品用の硬質パッケージが提供される。
【発明を実施するための最良の形態】
【０００９】
添付図面における符号１は、内包装材料のフォイルシートに包まれた一群のシガレット３を収容している容器２と、前記容器２をスライド可能に収容する容器４とを含むシガレット用の硬質パケットを全体として示し、前記容器４は、容器２が完全に容器４内に挿入された閉鎖位置（図１）と容器２が容器４から部分的に引き出された開放位置（図２）との間を摺動可能に構成されている。
【００１０】
図３に示されたように、容器４は平行六面体に形成され、底壁５と、上壁６と、平行に対面する二枚の主側壁７と、二つの長手方向の縁９によって主側壁７から分離されている小側壁８と、閉鎖位置（図１）と開放位置（図２）との間における容器２の移動を可能にする小側壁８に平行に対面する開放端１０とを含む。容器４の側壁７と８は、横切る縁１１によって底壁５及び上壁６から分離され、横切る縁１１は、主側壁７と底壁５、上壁６との間に画定された四つの横切る主縁１１と、小側壁８と底壁５、上壁６との間に画定された二つの横切る小縁１１に分割されている。
【００１１】
容器２は平行六面体を形成し、底壁１２と、底壁１２に平行に対面する開放端１３と、二枚の平行に対面する主側壁１４と、四つの長手方向の縁１６によって主側壁１４から分離された二枚の平行に対面する小側壁１５とを含む。容器２の側壁１４と１５は四つの横切る縁１７によって底壁１２から分離され、これらの横切る縁は、主側壁１４と底壁１２との間に画定された二つの横切る主縁１７と、小側壁１５と底壁１２との間に画定された二つの横切る小縁１７に分離されている。
【００１２】
容器４の開放端１０に対面する容器２の小側壁１５は、容器４の小側壁８と同一寸法であり、容器４の小側壁８に対面する容器２の小側壁１５よりも大きい。図１〜５の実施形態では、容器４の小側壁８に対面する容器２の小側壁１５は内部材１８（図７に拡げて示されている）によって形成され、部材１８はシガレットの群３を取り囲み、容器２の主側壁１４及び/又は他の小側壁１５の内面に糊付けされている。
【００１３】
容器２の底壁１２は容器４の底壁５よりも小さい。
【００１４】
容器２の開放端１３は、容器２が開放位置（図２）にある場合に、容器２の内側に収容されたシガレットの群３の軸方向への引き出しを可能にする。添付図面に示された実施形態において、開放端１３は容器２の全長を被覆する。図示されていない別の実施形態において、容器２の上壁が開放端１３の延長を限定する。シガレットの群３を容器２から軸方向に引き出し易くするために、容器２の各主側壁１４は三角形状に先端を円弧状にした凹部１９を有する。
【００１５】
容器２が閉鎖位置にあるときに（図１）、容器４の各側壁７，８は容器２の対応する側壁１４，１５に対面して整列する。更に詳しくは、容器２はシガレットの群３をほとんど隙間なしで収容する寸法で形成され、容器２と４を製造するのに要する包装材料の量を最小にし、且つ容器の内側におけるシガレットの群３の動き及び容器４内における容器２の動きを最小にする。自明なように、シガレットの群３と容器２との間には、ユーザーが大きな困難を伴わずに容器２からシガレットを引き出せるように、或る程度の間隙が必要であり、ユーザーが容器４から容器２を容易に引き出せるように、同一ことが容器２と４の間の間隙にも云える。
【００１６】
容器４の各主側壁７は開放端１０の近くに凹部２０を有し、ユーザーによる把持と容器２の主側壁１４の牽引を可能にすることによって、閉鎖位置（図１）にある容器４からの容器２の引き出しを容易にする。選択的に、容器４からの容器２の引き出しを容易にするために、容器４の小側壁８は、容器２が閉鎖位置（図１）にあるときに、ユーザーが指を挿入して孔２１に対面する容器２の小側壁１５上に圧力を与えることが可能な形状と寸法を有する孔２１（図１０と１１に示されている）を有する。
【００１７】
図４と５に示されているように、パケット１は、それぞれが一側で容器２の主側壁１４に連結され他側で容器４の主側壁７に連結された二つの連結ストリップ２２と、容器２における変形可能部２３とを含む。各連結ストリップ２２の変形可能部２３は、平行に離隔して設けられた多くの折り目線２４（図６に示されている）を有する。更に詳しくは、各連結ストリップ２２は容器２の主側壁１４の端縁にシームレスに連結され、且つ容器４の主側壁７の端縁にシームレスに連結されている。
【００１８】
好適実施形態において、変形可能部２３を除いて各連結ストリップ２２は容器４の主側壁７の内側面の糊付けされる。
【００１９】
図６に更に明瞭に示されているように、各連結ストリップ２２は容器２と４の主側壁７と１４よりも長さにおいて僅かに小さく、変形可能部２３に中心孔２５を有する。前述したように、容器２の底壁１２は容器４の底壁５よりも小さく、連結ストリップ２２の少なくとも変形可能部２３において存在しない。
【００２０】
容器２が閉鎖位置（図４）にあるときに、即ち容器４の内側に完全に挿入されているときに、各連結ストリップ２２の変形可能部２３は完全に伸張してフラット形態となり、容器２と４の主側壁７と１４に平行になる。容器２が開放位置（図５）にあるときに、即ち容器４から一部引き出されたときに、各連結ストリップ２２の変形可能部２３はＵ字型を形成する。容器２が閉鎖状態から移動するにつれて、各連結ストリップ２２の変形可能部２３は、容器２がもはや容器４から更に引き出されることのできない最大変形点に実質的に到達する。こうして、連結ストリップ２２は容器４からの容器２の引き出しを制限し、容器２が容器４から完全に引き出されることを防ぐ。
【００２１】
図６に示されているように、両方の容器２と４は実質的に矩形のフラットな同一ブランク２６で形成され、ブランクの構成部は可能な限り容器２と４の対応する部と同一符号に肩数字を付して示されている。
【００２２】
ブランク２６は四本の長手方向折り目線２７と、この長手方向折り目線２７に垂直な四本の長手を横切る方向の折り目線２８を有している。
【００２３】
長手を横切る方向の折り目線２８は、ブランク２６の上に二本の第一の長手方向折り目線２７間に、容器４の上壁６の一部を形成するパネル６′と、容器４の一方の主側壁７を形成するパネル７′と、容器４の底壁５を形成するパネル５′と、容器４の他方の主側壁７を形成するパネル７″と、容器４の上壁６の一部を形成するパネル６″を画定している。長手を横切る方向の折り目線２８は、ブランク２６の上の二本の第二の長手方向折り目線２７間に容器２の一方の主側壁１４を形成するパネル１４′と、容器２の底壁１２を形成するパネル１２′と、容器２の他方の主側壁１４を形成するパネル１４″を画定している。
【００２４】
第一連結ストリップ２２″はパネル７′からパネル１４″まで延在し、長手方向折り目線２７bと２７aによってパネル７′と１４′から分離され、第二連結ストリップ２２″はパネル７″からパネル１４″まで延在し、長手方向折り目線２７bと２７aによってパネル７″と１４″から分離されている。
【００２５】
パネル７′は長手方向折り目線２７によってパネル７′から分離された翼８′を有し、翼８′は容器４の小側壁８の一部を形成し、パネル７″は長手方向折り目線２７によってパネル７″から分離された翼８″を有し、翼８″は容器４の小側壁８の一部を形成する。翼８′は二つのタブ２９を具え、タブ２９は翼８′の両端に位置決めされ、二本の横の折り目線２８によって翼８′から分離され、容器４の底壁５と上壁５の各内部補強部を形成する。上タブ２９とパネル６′は、パネル６″上に折り曲げ若しくは折畳まれて容器４の上壁６を形成するときに、重合しないように形成される。
【００２６】
パネル１４′は長手方向折り目線２７によってパネル１４′から分離された翼１５′を有し、翼１５′は容器２の小側壁１５の一部を形成し、パネル１４″は長手方向折り目線２７によってパネル１４″から分離された翼１５″を有し、翼１５″は容器２の小側壁１５の一部を形成する。翼１５′は横の折り目線２８によって翼１５′から分離されたタブ３０を具え、タブ３０は容器２の底壁１２の内部補強部を形成する。
【００２７】
上述のように、パケット１の容器２は図７に展開して示されている内部材１８を使用して形成される。好ましくは、内部材１８は図７に示されているようにフラットで包装ユニットのために供給され、包装ユニットは内部材１８を折畳んでシガレットの群３の周囲に管に形成し、次にブランク２６がシガレットの群３と内部材１８の周囲に折畳まれて容器２と４を形成する。内部材１８は、容器２の一方の小側壁１５を形成するパネル１５″′を画定する三本の長手方向折り目線３１と、容器２の主側壁１４の内面に糊付けされた前記パネル１５″′の両側に位置する二つのパネル３２と、容器２の他方の小側壁１５に糊付けされたパネル３３とを有している。図示しない別の実施形態では、内部材１８はパネル３３を有しない。
【００２８】
シガレットの群３と内部材１８の周囲にブランク２６を折り曲げるために、ブランク２６は最初に長手方向折り目線２７aの周囲に１８０°折り曲げられて連結ストリップ２２をパネル７′と７″の上に折り曲げ、次に長手方向折り目線を中心に１８０°折り曲げられて、パネル７′と７″の反対側でパネル１４′と１４″を連結ストリップ２２上に折り曲げ、そのようにしてブランク２６は図８に示された一部が折り曲げられたフラット形態になる。次の工程では、既に内部材１８を取り付けたシガレットの群３にブランク２６を付与して、パネル７′をパネル１４′と共にパネル５′とパネル１２′に対して直角に折り曲げ、そしてパネル７″をパネル１４″と共にパネル５′とパネル１２′に対して直角に折り曲げることによって、ブランク２６をシガレットの群３の周囲にＵ字型に折り曲げる。次に、タブ２９を翼８′に対して直角に折り曲げ、タブ３０を翼１５′に対して直角に折り曲げ、そして翼８′と翼８″をパネル７′と７″に対して一方が他方の上に載るように直角に折り曲げ、翼１４′と翼１４″がパネル１４′と１４″に対して一方が他方の上に載るように直角に折り曲げる。そして、最後に、パネル６′と６″がパネル７′と７″に対して一方が他方の上に載るように直角に折り曲げる。
【００２９】
ブランク２６をシガレットの群３及び内部材１８の周囲に折り曲げるための包装ユニットは、図６に示されているような完全にフラットな、或いは図８に示されているような一部が折り曲げられたフラット形態のブランクにより供給される。注記すべき重要点は、図８に示された一部が折り曲げられたフラット形態のブランク２６は普通の硬質ヒンジ付き蓋型パケットを製造するための標準的なブランクと同一形状・寸法であり、前述のパケット１は標準的包装機に僅かな変更を加えれば製造可能なことである。別の重要点は、標準的包装機が、カラーを供給するために準備され、且つカラーは主ブランクが折り曲げられる前にシガレット群の周囲に折り曲げられ、そのようにして前述の内部材１８の処理が標準的包装機上で既に行われることである。
【００３０】
図９は、図１〜５に示されたパケット１を製造するためのブランク２６の別の実施形態を示す。図９のブランク２６は、一つのタブ２９の形状、連結ストリップ２２′と２２″の変形可能部２３の折り目線２４の間隔が異なる点、及び連結ストリップ２２′と２２″の変形可能部２３に中心孔が無い点で、図６のブランク２６と異なる。
【００３１】
図１０と１１は図１〜５に示された前述のパケット１の別の実施形態を示す。図１〜５のパケット１と図１０，１１のパケット１との主たる差異は、図１〜５のパケット１において二つの凹部２０が設けられて容器４からの容器２の引き出しを容易にするのに対して、図１０と１１のパケット１は孔２１を有して容器４からの容器２の引き出しを容易にする点にある。更に、図１〜５のパケット１において、容器２の一つの小側壁１５が内部材１８によって形成され、一方、図１０と１１のパケット１は内部材１８を持たず、容器２の両方の小側壁１５は図１２に示されているブランク２６の一部によって形成される。
【００３２】
図１２のブランク２６は、翼８′と８″が孔２１を画定する二つの開口を含み、且つ連結ストリップ２２の変形可能部２３内の孔２５が二つの翼１５″′と１５″″を含む点で図６のブランク２６と異なる。更に詳しくは、図１２のブランク２６において、パネル１４′は、二本の長手方向折り目線２７によってパネル１４′から分離され、容器２の小側壁１５の一部を形成するパネル１４′の両側に位置する二つの翼１５′と１５″′を有し、パネル１４″は、二本の長手方向折り目線２７によってパネル１４″から分離され、容器２の小側壁１５の一部を形成するパネル１４″の両側に位置する二つの翼１５″と１５″″を有する。翼１５″′と１５″″は翼１５′と１５″よりも長手方向に小さく、前述のように連結ストリップ２２の変形可能部２３の中心孔２５の内側に位置する。
【００３３】
孔２１を形成する翼８′と８″の開口は、パネル７′と７″に連結され且つ長手方向折り目線２７によってパネル７′と７″から分離したタブ３４を（図１０と１１には示されていない）更に含む。ブランク２６を折り曲げると、タブ３４はパネル７′と７″上に１８０°折り曲げられ、パネル７′と７″に糊付けされてパネル７′と７″を局部的に補強する。
【００３４】
添付図面に示されている実施形態において、容器２の縁１６と１７、容器４の縁９と１１は、すべて四角形の縁である。図示されていない別の実施形態では、容器２の四つの長手方向の縁１６と容器４の二つの長手方向の縁９は四角形でなく、円弧状或いは傾斜した縁である。別の例では、容器４の長手を横切る方向の縁１１と容器２の長手を横切る方向の縁１７は、特許出願EP-A0764595に記載されたシガレットのパケットのように、四角形でなく、円弧状或いは傾斜した縁であり、長手を横切る方向の縁１１及び/又は１７と長手方向の縁９及び/又は１６は、両方とも四角形でなく、円弧状或いは傾斜した縁である。
【００３５】
図示されていない別の実施形態において、容器２の各主側壁１４は外方に突出して、鋭い長手方向の縁１６に沿って各小側壁１５に連結され、各小側壁１５に対して鈍角の二面角を形成する。容器２の各主側壁１４は、フラット中心部と長手方向折り目線を有する二つの側方バンドを含み、各側方バンドは内方に面したくぼみによって湾曲し、前記フラット中心部を小側壁１５に連結し、小側壁１５と共に鈍角の二面角を形成する。
【００３６】
容器４の各主側壁７は外方に凸出し、鋭い長手方向の縁９に沿って小側壁８に連結され、小側壁８と共に鈍角の二面角を形成する。更に詳しくは、容器４の各主側壁７はフラット中心部と、長手方向折り目線を有する側方バンドとを含み、前記側方バンドは内側に面したくぼみによって湾曲し、前記中心部を小側壁８に連結し、小側壁８と共に鈍角の二面角を形成する。
【００３７】
各壁５，６は実質的に矩形であり、主側壁７の外方に凸出した形状に適合する傾斜した二つのコーナーを有する。この実施形態は特許出願EP-A1-1066206に記載されたシガレットのパケットに類似し、このパケットは外方に凸出した前壁と後壁を含み、その各々が、フラット中心部とこの中心部を鋭い長手方向の縁に沿ってパケットの二つのフラット側壁に連結する二つの湾曲した折り目付きの側方バンドとを有する。
【００３８】
図示しない別の実施形態において、容器２の各主側壁１４は外方に凸出し、鋭い長手を横切る方向の縁１７に沿って底壁１２に連結され、底壁１２と共に鈍角の二面角を形成する。更に詳しくは、容器２の各主側壁１４は、フラット中心部と長手を横切る方向の折り目線を有する折り目付きの側方バンドとを含み、この側方バンドは内方に面する凹部によって湾曲し、中心部を底壁１２に連結して底壁１２と共に鈍角の二面角を形成する。
【００３９】
容器４の各主側壁７は外方に凸出し、鋭い長手を横切る方向の縁１１に沿って底壁５或いは上壁６に連結され、底壁５或いは上壁６と共に鈍角の二面角を形成する。更に詳しくは、容器４の各主側壁７は、フラット中心部と、長手を横切る方向の折り目線を有する二つの折り目付き側方バンドとを含み、各側方バンドは内方に面する凹部によって湾曲し、中心部を底壁５或いは上壁６に連結して底壁５或いは上壁６と共に鈍角の二面角を形成する。小側壁８は実質的矩形であり、主側壁７の外方に凸出した形状に適合する傾斜したコーナーを有する。この実施形態は特許出願IT-BO2001A000584に記載されたシガレットのパケットに類似し、これは外方に凸出した、フラット中心部を有する前壁と後壁と、このフラット中心部を鋭い長手を横切る方向の縁に沿ってパケットの二つのフラット壁に連結する二つの湾曲した折り目付きの側方バンドとを含む。
【００４０】
二つの対面する凸出した壁の代わりに、一部が凸出した壁、或いは一つのみが凸出した壁を形成する等、前述のパケット１を変更することができる。
【００４１】
前述のシガレット用パケット１の種々の利点に鑑み、パケット１の形態は、他のタイプのたばこ製品の硬質容器、例えばシガレット用カートンや葉巻用パケットの製造に一体的に適用可能である。
【図面の簡単な説明】
【００４２】
【図１】閉鎖状態にある本発明によるシガレット用硬質パケットの好適実施形態の正面斜視図。
【図２】開放状態にある図１のシガレット用硬質パケットの正面斜視図。
【図３】判り易くするために一部を除去した図１のシガレット用の硬質パケットの分解斜視図。
【図４】判り易くするために一部を除去した図１のシガレット用硬質パケットの閉鎖状態の切断平面図。
【図５】一部を除去した、図１のシガレットパケットの開放状態の切断平面図。
【図６】図１〜５におけるシガレット用硬質パケットの製造に使用されるフラットブランクの平面図。
【図７】図１〜５のシガレット用硬質パケットに使用されるフラットカラーの平面図。
【図８】一部が折り曲げられたフラット状態の図６のブランクの平面図。
【図９】図１〜５のシガレット用硬質パケットを製造するためのブランクの別の実施形態の平面図。
【図１０】閉鎖状態にある本発明によるシガレット用硬質パケットの別の実施形態の後から見た斜視図。
【図１１】開放状態にある図１０のシガレット用硬質パケットの後から見た斜視図。
【図１２】図１０と１１のシガレット用硬質パケットを製造するためのブランクの平面図。
【図１】
2009507731.tif 000003
【図２】
2009507731.tif 000004
【図３】
2009507731.tif 000005
【図４】
2009507731.tif 000006
【図５】
2009507731.tif 000007
【図６】
2009507731.tif 000008
【図７】
2009507731.tif 000009
【図８】
2009507731.tif 000010
【図９】
2009507731.tif 000011
【図１０】
2009507731.tif 000012
【図１１】
2009507731.tif 000013
【図１２】
2009507731.tif 000014
【手続補正書】
【提出日】平成19年7月12日(2007.7.12)
【手続補正１】
【補正対象書類名】特許請求の範囲
【補正対象項目名】請求項１
【補正方法】変更
【補正の内容】
【請求項１】
たばこ製品の群（３）を収容する第一容器（２）と、
第一容器（２）をスライド可能に収容して前記第一容器（２）を第二容器（４）に対して閉鎖位置と開放位置との間でスライドさせる第二容器（４）を含み、前記閉鎖位置において第一容器（２）は第二容器（４）内に完全に挿入され、前記開放位置において第一容器（２）は第二容器（４）から一部が引き出され、
第一及び第二の各容器（２，４）は平行六面体に形成され、たばこ製品の群（３）を横方向に包む平行に対面する二つの主側壁（１４，７）を有するたばこ製品用の硬質パッケージ（１）において、
前記パッケージ（１）は二つの連結ストリップ（２２）を含み、前記連結ストリップの各々は一側で第一容器（２）の主側壁（１４）に連結され、他側で第二容器（４）の主側壁（７）に連結され、且つ第一容器（２）に変形可能部（２３）を含み、
各連結ストリップ（２２）は第一及び第二容器（２，４）の主側壁（１４，７）間に配置され且つＬ字形形態を有することを特徴とする、パッケージ。
【手続補正２】
【補正対象書類名】明細書
【補正対象項目名】０００６
【補正方法】変更
【補正の内容】
【０００６】
標準的シガレット包装機は、ヒンジ蓋付きの硬質パケットを製造し、一群のシガレットの周囲に容器を形成するための一枚のブランクと、一群のシガレットの周囲に単にＵ字形に折り曲げる必要のある小さいカラーとを処理するように設計される。従って、スライド式に開く硬質パケットを製造するための特別な包装機は、標準的ヒンジ蓋付きのパケット用機械に対して高度な設計、構造、保守コストを含む大きな変更を必要とする。
GB388971は、別々のブランク、又は組み合わされた一枚のブランクから作られた内外ケースを含むシガレット用のカートンを開示し、外ケースは一つの蓋或いは半割蓋を有し、蓋は内ケースに連結されたストリップを有し、それにより内ケースの移動が蓋を開閉する。
【国際調査報告】
2009507731.tif 000015
2009507731.tif 000016
2009507731.tif 000017